(57)【要約】    【課題】  プリンタドライバの印刷可能用紙サイズ一覧にない用紙に印刷する場合に、サイズの測定と入力にかかる作業及びその用紙サイズを繰り返し使用する場合の作業を軽減することができる印刷システム及び印刷用紙サイズ指定方法を提供する。    【解決手段】  印刷システムは、ホストコンピュータ１００と、ホストコンピュータ１００に接続された多機能プリンタ１０５とを備える。多機能プリンタ１０５は、印刷用紙をスキャンして得られた印刷用紙の幅及び長さの情報をプリンタドライバに送信し、プリンタドライバは、受信した印刷用紙の幅及び長さを夫々ユーザー定義用紙サイズ指定画面３０１における幅入力領域３０３及び長さ入力領域３０４に表示し、ユーザーに用紙サイズの確認、及び用紙サイズ名の入力を求め、入力された用紙サイズ名と用紙サイズをプリンタドライバのユーザー定義用紙サイズ一覧に追加する。【選択図】      図２
2005297360.tif 000002
【特許請求の範囲】
【請求項１】
画像読取り部を有する印刷装置と、前記印刷装置を双方向通信により制御する情報処理装置とを備える印刷システムにおいて、
前記印刷装置は、前記画像読取り部で読取られる印刷用紙のサイズを検出する検出手段と、前記検出された印刷用紙のサイズを前記情報処理装置に送信する送信手段とを備え、
前記情報処理装置は、前記印刷装置に関する印刷可能用紙サイズ一覧情報を記憶する記憶手段と、前記検出された印刷用紙のサイズを前記印刷可能用紙サイズ一覧情報に追加する追加手段とを備えることを特徴とする印刷システム。
【請求項２】
印刷用紙の画像を読取る画像読取り装置と、印刷装置と、前記画像読取り装置及び前記印刷装置を夫々双方向通信により制御する情報処理装置とを備える印刷システムにおいて、
前記情報処理装置は、前記画像読取り装置で読取られた画像データに基づいて前記印刷用紙のサイズを検出する検出手段と、前記印刷装置に関する印刷可能用紙サイズ一覧情報を記憶する記憶手段と、前記検出された印刷用紙のサイズを前記印刷可能用紙サイズ一覧情報に追加する追加手段とを備えることを特徴とする印刷システム。
【請求項３】
記録ヘッドを主走査方向に移動すると共に、印刷用紙を前記主査方向と直交する副走査方向に移動する印刷装置と、前記印刷装置を双方向通信により制御する情報処理装置とを備える印刷システムにおいて、
前記印刷装置は、前記主走査方向についての前記印刷用紙の幅を検出する第１の検出手段と、前記副走査方向についての前記印刷用紙の長さを検出する第２の検出手段と、前記検出された印刷用紙の幅及び長さを前記情報処理装置に送信する送信手段とを備え、
前記情報処理装置は、前記印刷装置に関する印刷可能用紙サイズ一覧情報を記憶する記憶手段と、前記検出された印刷用紙の幅及び長さを前記印刷可能用紙サイズ一覧情報に追加する追加手段とを備えることを特徴とする印刷システム。
【請求項４】
画像読取り部を有する印刷装置と、前記印刷装置を双方向通信により制御する情報処理装置とを備える印刷システムにおける印刷用紙サイズ指定方法において、
前記印刷装置において、前記画像読取り部で読取られる印刷用紙のサイズを検出する検出し、前記検出された印刷用紙のサイズを前記情報処理装置に送信し、
前記情報処理装置において、前記印刷装置に関する印刷可能用紙サイズ一覧情報を記憶し、前記検出された印刷用紙のサイズを前記印刷可能用紙サイズ一覧情報に追加することを特徴とする印刷用紙サイズ指定方法。
【請求項５】
印刷用紙の画像を読取る画像読取り装置と、印刷装置と、前記画像読取り装置及び前記印刷装置を夫々双方向通信により制御する情報処理装置とを備える印刷システムの印刷用紙サイズ指定用法において、
前記情報処理装置において、前記画像読取り装置で読取られた画像データに基づいて前記印刷用紙のサイズを検出し、前記印刷装置に関する印刷可能用紙サイズ一覧情報を記憶し、前記検出された印刷用紙のサイズを前記印刷可能用紙サイズ一覧情報に追加することを特徴とする印刷システム。
【請求項６】
記録ヘッドを主走査方向に移動すると共に、印刷用紙を前記主査方向と直交する副走査方向に移動する印刷装置と、前記印刷装置を双方向通信により制御する情報処理装置とを備える印刷システムにおける印刷用紙サイズ指定方法において、
前記印刷装置において、前記主走査方向についての前記印刷用紙の幅を検出すると共に、前記副走査方向についての前記印刷用紙の長さを検出し、前記検出された印刷用紙の幅及び長さを前記情報処理装置に送信し、
前記情報処理装置において、前記印刷装置に関する印刷可能用紙サイズ一覧情報を記憶し、前記検出された印刷用紙の幅及び長さを前記印刷可能用紙サイズ一覧情報に追加することを特徴とする印刷用紙サイズ指定方法。
【発明の詳細な説明】
【技術分野】
【０００１】
本発明は、印刷システム及び印刷用紙サイズ指定方法に関し、特に、画像読取り装置を含む印刷システム、及びプリンタドライバの印刷可能な用紙サイズ一覧にない印刷用紙サイズ指定方法に関する。
【背景技術】
【０００２】
従来のプリンタドライバでは、プリンタドライバの印刷可能な用紙サイズ一覧に印刷すべき用紙のサイズがないときは、ユーザーは、まず、印刷すべき用紙のサイズを測定し、次に、プリンタドライバの印刷可能な用紙サイズ一覧から「ユーザー定義用紙の項目」を選択し、用紙サイズ指定用のウィンドウで用紙の長さ及び幅を入力しなくてはならない。
【０００３】
また、用紙のサイズの測定を、印刷装置に給排紙される用紙の先端から後端の搬送にかかる時間と用紙の幅を検出することにより行い、その結果をプリンタドライバの用紙サイズに反映する技術がある（例えば、特許文献１参照）。
【特許文献１】特開平１１−３０１０７９号公報
【発明の開示】
【発明が解決しようとする課題】
【０００４】
しかしながら、上記用紙の長さ及び幅の入力によるサイズ指定は1回きりであり、一覧にないサイズの用紙に印刷するときは、その都度サイズを入力する作業が必要である。このため、ユーザーは、一覧にないサイズの用紙を頻繁に使うときは、使うたびにサイズを測るか、サイズをメモする等して覚えておき、印刷作業の前にサイズを入力しなければならない。
【０００５】
また、ＣＤ−Ｒのラベル印刷が可能なプリンタでは、印刷可能な領域がＣＤ−Ｒの製造メーカーにより異なるため、印刷可能領域に対して過不足なしに印刷したい場合には、プリンタドライバがサポートしているメーカーのＣＤ−Ｒを使用しなくてはならなかった。
【０００６】
また、上記用紙サイズを測定する場合も、用紙サイズの測定は1回限りのものであり、ＣＤ−Ｒのように印刷領域のサイズが変化する用紙には対応できない。
【０００７】
本発明の目的は、プリンタドライバの印刷可能用紙サイズ一覧にない用紙に印刷する場合に、サイズの測定と入力にかかる作業及びその用紙サイズを繰り返し使用する場合の作業を軽減することができる印刷システム及び印刷用紙サイズ指定方法を提供することにある。
【課題を解決するための手段】
【０００８】
上記の目的を達成するために、請求項１記載の印刷システムは、画像読取り部を有する印刷装置と、前記印刷装置を双方向通信により制御する情報処理装置とを備える印刷システムにおいて、前記印刷装置は、前記画像読取り部で読取られる印刷用紙のサイズを検出する検出手段と、前記検出された印刷用紙のサイズを前記情報処理装置に送信する送信手段とを備え、前記情報処理装置は、前記印刷装置に関する印刷可能用紙サイズ一覧情報を記憶する記憶手段と、前記検出された印刷用紙のサイズを前記印刷可能用紙サイズ一覧情報に追加する追加手段とを備えることを特徴とする。
【０００９】
請求項２記載の印刷システムは、印刷用紙の画像を読取る画像読取り装置と、印刷装置と、前記画像読取り装置及び前記印刷装置を夫々双方向通信により制御する情報処理装置とを備える印刷システムにおいて、前記情報処理装置は、前記画像読取り装置で読取られた画像データに基づいて前記印刷用紙のサイズを検出する検出手段と、前記印刷装置に関する印刷可能用紙サイズ一覧情報を記憶する記憶手段と、前記検出された印刷用紙のサイズを前記印刷可能用紙サイズ一覧情報に追加する追加手段とを備えることを特徴とする。
【００１０】
請求項３記載の印刷システムは、記録ヘッドを主走査方向に移動すると共に、印刷用紙を前記主査方向と直交する副走査方向に移動する印刷装置と、前記印刷装置を双方向通信により制御する情報処理装置とを備える印刷システムにおいて、前記印刷装置は、前記主走査方向についての前記印刷用紙の幅を検出する第１の検出手段と、前記副走査方向についての前記印刷用紙の長さを検出する第２の検出手段と、前記検出された印刷用紙の幅及び長さを前記情報処理装置に送信する送信手段とを備え、前記情報処理装置は、前記印刷装置に関する印刷可能用紙サイズ一覧情報を記憶する記憶手段と、前記検出された印刷用紙の幅及び長さを前記印刷可能用紙サイズ一覧情報に追加する追加手段とを備えることを特徴とする。
【００１１】
請求項４記載の印刷システムは、画像読取り部を有する印刷装置と、前記印刷装置を双方向通信により制御する情報処理装置とを備える印刷システムにおける印刷用紙サイズ指定方法において、前記印刷装置において、前記画像読取り部で読取られる印刷用紙のサイズを検出する検出し、前記検出された印刷用紙のサイズを前記情報処理装置に送信し、前記情報処理装置において、前記印刷装置に関する印刷可能用紙サイズ一覧情報を記憶し、前記検出された印刷用紙のサイズを前記印刷可能用紙サイズ一覧情報に追加することを特徴とする。
【００１２】
請求項５記載の印刷用紙サイズ指定方法は、印刷用紙の画像を読取る画像読取り装置と、印刷装置と、前記画像読取り装置及び前記印刷装置を夫々双方向通信により制御する情報処理装置とを備える印刷システムの印刷用紙サイズ指定用法において、前記情報処理装置において、前記画像読取り装置で読取られた画像データに基づいて前記印刷用紙のサイズを検出し、前記印刷装置に関する印刷可能用紙サイズ一覧情報を記憶し、前記検出された印刷用紙のサイズを前記印刷可能用紙サイズ一覧情報に追加することを特徴とする。
【００１３】
請求項６記載の印刷用紙サイズ指定方法は、記録ヘッドを主走査方向に移動すると共に、印刷用紙を前記主査方向と直交する副走査方向に移動する印刷装置と、前記印刷装置を双方向通信により制御する情報処理装置とを備える印刷システムにおける印刷用紙サイズ指定方法において、前記印刷装置において、前記主走査方向についての前記印刷用紙の幅を検出すると共に、前記副走査方向についての前記印刷用紙の長さを検出し、前記検出された印刷用紙の幅及び長さを前記情報処理装置に送信し、前記情報処理装置において、前記印刷装置に関する印刷可能用紙サイズ一覧情報を記憶し、前記検出された印刷用紙の幅及び長さを前記印刷可能用紙サイズ一覧情報に追加することを特徴とする。
【発明の効果】
【００１４】
請求項１記載の印刷システム及び請求項４記載の印刷用紙サイズ指定方法によれば、印刷装置において、画像読取り部で読取られる用紙のサイズを検出し、検出された用紙のサイズを情報処理装置に送信し、情報処理装置において、検出された用紙のサイズを印刷装置に関する印刷可能用紙サイズ一覧情報に追加するので、プリンタドライバの印刷可能用紙サイズ一覧にない用紙に印刷する場合に、その用紙サイズの測定と指定にかかる作業及びその用紙サイズを繰り返し使用する場合の作業を軽減することができる。
【００１５】
請求項２記載の印刷システム及び請求項５記載の印刷用紙サイズ指定方法によれば、情報処理装置において、画像読取り装置で読取られた画像データに基づいて印刷用紙のサイズを検出し、印刷装置に関する印刷可能用紙サイズ一覧情報を記憶し、検出された印刷用紙のサイズを印刷可能用紙サイズ一覧情報に追加するので、プリンタドライバの印刷可能用紙サイズ一覧にない用紙に印刷する場合、その用紙サイズの測定と指定にかかる作業及びその用紙サイズを繰り返し使用する場合の作業を軽減することができる。
【００１６】
請求項３記載の印刷システム及び請求項６記載の印刷用紙サイズ指定方法によれば、印刷装置において、主走査方向についての印刷用紙の幅を検出すると共に、副走査方向についての印刷用紙の長さを検出し、検出された印刷用紙の幅及び長さを情報処理装置に送信し、情報処理装置において、印刷装置に関する印刷可能用紙サイズ一覧情報を記憶し、検出された用紙の幅及び長さを印刷可能用紙サイズ一覧情報に追加するので、プリンタドライバの印刷可能用紙サイズ一覧にない用紙に印刷する場合に、その用紙サイズを繰り返し使用する場合の作業を軽減することができる。
【発明を実施するための最良の形態】
【００１７】
以下、本発明の実施の形態を図面を参照しながら詳述する。
【００１８】
図１は、本発明の第１の実施の形態に係る印刷システムの構成を概略的に説明する図である。
【００１９】
図１の印刷システムは、ホストコンピュータ１００と、双方向通信可能なインターフェース１０６を介してホストコンピュータ１００に接続された多機能プリンタ１０５とを備える。
【００２０】
ホストコンピュータ１００は、インターフェース１０６に接続された制御ボード（不図示）、及び制御ボード上のバスに接続されたＦＤドライブやＣＤ−ＲＯＭを有する制御ユニット１０２と、制御ユニット１０２に夫々接続されたＣＲＴ装置１０１、キーボード１０３、及びポインティングデバイス１０４とを備える。ＣＲＴ装置１０１はＬＣＤ装置に置き換えることができる。
【００２１】
制御ユニット１０２は、プリンタドライバ等の印刷制御プログラムがインストールされたハードディスク等の外部記憶装置を備え、該プリンタドライバを介してアプリケーションからの印刷要求に従い印刷情報を多機能プリンタ１０５に転送する。
【００２２】
多機能プリンタ１０５は、プリンタ（印刷装置）とスキャナ（画像読取り装置）や通信装置を組み合わせたもので、プリンタとしての機能以外に、スキャナ、コピー、ＦＡＸ等の機能を備えている。
【００２３】
図２は、図１の印刷システム１００によって実行される印刷用紙サイズ指定処理のフローチャートである。
【００２４】
本処理においては、プリンタドライバの用紙サイズ一覧にない用紙サイズを指定する。印刷用紙が多機能プリンタ１０５のスキャナ部の原稿台ガラス上にセットされ、その上に印刷用紙よりも大きな黒い紙を載せた上で原稿台カバーで押さえる。印刷用紙の上に印刷用紙よりも大きい黒い紙が載せられるので、印刷用紙のサイズを正確に測定することができる。
【００２５】
図２において、まず、プリンタドライバで「詳細設定」を選択することによりデフォルトサイズの印刷設定画面２０１（図３）を表示し（ステップＳ２０１）（記憶手段）、印刷設定画面２０１のユーザー定義用紙サイズ一覧２０２から「ユーザー定義用紙サイズ」が選択されて、ユーザー定義用紙サイズ指定画面３０１（図４）を表示すると（ステップＳ２０２でＹＥＳ）、プリンタドライバは、「読込み」ボタン３０６が選択されたか否かを判別する（ステップＳ２０３）。
【００２６】
ステップＳ２０３の判別の結果、「読込み」ボタン３０６が選択されたときは、原稿台ガラス上にセットされた印刷用紙のサイズ（幅及び長さ）を取得するためのコマンドを多機能プリンタ１０５に送信する（ステップＳ２０４）。
【００２７】
多機能プリンタ１０５は、上記コマンドを受信すると、所定の設定に基づいて印刷用紙をスキャンし、スキャンして得られた画像情報の白の部分について印刷用紙の幅及び長さを算出し（検出手段）、この算出された印刷用紙の幅及び長さの情報をプリンタドライバに送信する（送信手段）。
【００２８】
多機能プリンタ１０５による印刷用紙の幅及び長さの算出方法は、スキャンした画像データの情報によって異なる。算出された印刷用紙の幅及び長さの単位は多機能プリンタ１０５とプリンタドライバの間で整合がとれていればどんな単位を使用してもよい。
【００２９】
次いで、プリンタドライバは、受信した印刷用紙の幅及び長さをユーザー定義用紙サイズ指定画面３０１で指定されている単位（ミリメートルやインチ等）に変換し（ステップＳ２０５）、それらを夫々ユーザー定義用紙サイズ指定画面３０１における幅入力領域３０３及び長さ入力領域３０４に表示し、ユーザーに用紙サイズの確認、
及び用紙サイズ名の入力を求める（ステップＳ２０６）。
【００３０】
続くステップＳ２０７では、ユーザー定義用紙サイズ指定画面３０１において、「登録…」ボタンが押下されたか否かを判別し、「登録…」ボタンが選択されたときは、その登録すべき用紙サイズを今後ユーザー定義用紙サイズ一覧（記憶手段）で選択できるようにするために用紙サイズ一覧に表示する用紙サイズ名称の入力画面４０１（図５）を表示し（ステップＳ２０８）、さらに、取得した用紙サイズをユーザー定義用紙サイズ一覧に追加するのを許可する「ＯＫ」ボタンが押下されたか否かを判別する（ステップＳ２０９）。
【００３１】
ステップＳ２０９の判別の結果、「ＯＫ」ボタンが押下されたときは、ユーザーにより確認された用紙サイズと、入力された用紙サイズ名と用紙サイズをユーザーのカスタマイズ情報等のファイル等に記憶すると共に、プリンタドライバのユーザー定義用紙サイズ一覧に追加し（ステップＳ２１０）（追加手段）、さらに、使用する用紙のサイズを、取得した用紙サイズに設定変更して（ステップＳ２１１）、本処理を終了する。
【００３２】
ステップＳ２０７の判別の結果、「登録…」ボタンが選択されていないときは、使用する用紙サイズを、取得した用紙サイズに設定変更することを許可する「ＯＫ」ボタンが選択されたか否かを判別し（ステップＳ２１２）、「ＯＫ」ボタンが選択されたときは、取得した用紙サイズをユーザー定義用紙サイズ一覧に追加する（ステップＳ２１０）ことなく、使用する印刷用紙のサイズを、取得した用紙サイズに設定変更して（ステップＳ２１１）、本処理を終了し、一方、「ＯＫ」ボタンが選択されていないときは、ステップＳ２１１の処理を実行することなく、直ちに本処理を終了する。
【００３３】
ステップＳ２０９の判別の結果、「ＯＫ」ボタンが選択されていないときは、ステップＳ２１０の処理を実行することなく、使用する用紙サイズを、取得した用紙サイズに設定変更して（ステップＳ２１１）、本処理を終了する。
【００３４】
ステップＳ２１０で追加した用紙サイズ名は、次回よりプリンタドライバのユーザー定義用紙サイズ一覧２０２に表示する。プリンタドライバのユーザー定義用紙サイズ一覧２０２に後から追加する用紙サイズを表示できない場合は、プリンタドライバのユーザー定義用紙サイズ一覧２０２の中で「ユーザー定義用紙サイズ」が選択されたとき、登録されているユーザー定義用紙サイズ一覧２０２を表示するウィンドウを表示してもよい。ユーザー定義用紙サイズ指定画面３０１で「ＯＫ」ボタン３０８が選択された場合と、用紙サイズ名を入力するための名称設定画面４０１で「キャンセル」ボタン４０４が選択された場合は、入力した用紙サイズをユーザー定義用紙サイズ２０２として印刷に使用する用紙サイズに反映する（ステップＳ２１１）が、情報を記憶することはしない。
【００３５】
ＣＤ−Ｒのラベル等用紙サイズが幅及び長さでは表せない用紙を印刷可能な多機能プリンタ１０５では、ユーザー定義用紙サイズ指定画面３０１において、指定可能となっている項目以外に、印刷用紙の形状を指定する項目と、特殊な形状のときのみ使用するサイズ（ＣＤ−Ｒの内側の穴の半径等）の値を入力する領域が必要となる。また、プリンタドライバから多機能プリンタに印刷用紙サイズ要求する時には、四角形でない用紙であることを付加情報として与え、多機能プリンタ側ではメディアの形状に応じてあらかじめ決められた必要なサイズをスキャンして得た画像から求め、プリンタドライバにその値を送信する。
【００３６】
図６は、本発明の第２の実施の形態に係る印刷システムの構成を概略的に説明する図である。
【００３７】
図６の印刷システム６００は、その構成が図１の印刷システム１００と基本的に同じであり、同じ構成要素については同一の符号を付して重複した説明を省略し、異なる部分のみ説明する。
【００３８】
図６の印刷システム６００では、制御ユニット６０２に接続されたスキャナ６０５を備え、プリンタ６０６は、少なくともプリント機能を有するプリンタである。制御ユニット６０２は、スキャナ６０５のスキャナドライバ、及びプリンタ６０６のプリンタドライバを制御するユーティリティソフトウェアを有する。
【００３９】
図７は、図６の印刷システム６００によって実行されるユーザー定義用紙サイズ指定処理のフローチャートである。
【００４０】
本処理は、プリンタドライバの用紙サイズ一覧にない用紙サイズを指定するものであり、ホストコンピュータ１０１における制御ユニット１０２のスキャナドライバとプリンタドライバを制御するユーティリティソフトウェアによって実行される。
【００４１】
該ユーティリティソフトウェアは、スキャナ６０５から読取った画像データをプリンタ６０６へ出力する画像データに変換し、プリンタドライバに出力するコピー機能等を提供するソフトウェアである。
【００４２】
図７において、ユーザーが「ユーザー定義用紙指定機能」を選択すると（ステップＳ７０１でＹＥＳ）、スキャナ６０５に対して画像読取りを指示することによりスキャナ６０５に画像を読取らせて送信させ（ステップＳ７０２）、スキャナ６０５が読取った画像データを受取り（ステップＳ７０３）、この受取った画像データの中から白い部分を検出し、その幅と長さを算出する（ステップＳ７０４）（検出手段）。
【００４３】
次いで、求めた白い部分の幅と長さを図８に示すユーザー定義用紙指定画面７０１で選択されている単位７０２に変換し（ステップＳ７０５）、ユーザー定義用紙指定画面７０１における幅入力領域７０３及び長さ入力領域７０４に表示し、ユーザーに用紙サイズの確認、及び用紙サイズ名の入力を求める（ステップＳ７０６）。
【００４４】
続くステップＳ７０７では、ユーザー定義用紙指定画面７０１で、取得した白い部分の幅及び長さとをプリンタドライバのユーザー定義用紙サイズ一覧（記憶手段）に登録することを許可する「ＯＫ」ボタンが選択されたか否かを判別し（ステップＳ７０７）、「ＯＫ」ボタンが選択されたときは、入力された用紙サイズ名と、取得した用紙サイズをユーザーのカスタマイズ情報等のファイル等に記憶すると共に、プリンタドライバのユーザー定義用紙サイズ一覧に追加した（ステップＳ７０８）（追加手段）後、「ＯＫ」ボタンが選択されていないときは、直ちに、本処理を終了する。
【００４５】
追加された用紙サイズ名及びサイズは、次にユーザーがプリンタドライバのユーザー定義用紙サイズ一覧を開いた際に、ユーザーが入力した用紙サイズ名で表示される。
【００４６】
図９は、本発明の第３の実施の形態に係る印刷システムの構成を概略的に説明する図である。
【００４７】
図９の印刷システム９００は、その構成が図１の印刷システム１００と基本的に同じであり、同じ構成要素については同一の符号を付して重複した説明を省略し、異なる部分のみ説明する。
【００４８】
図９の印刷システム９００は、プリンタが単機能プリンタ９０５である。
【００４９】
図９において、単機能プリンタ９０５は、キャリッジに紙の有無を検出することができるセンサを持ち、給紙動作後、印刷用紙を印刷可能位置（キャリッジの下に印刷用紙のある状態）まで移動させ、主走査方向についてのキャリッジの移動距離を検出することにより印刷用紙の幅を測定する（第１の検出手段）。また、単機能プリンタ９０５は、印刷可能位置に印刷用紙の有無を検出するセンサを持ち、印刷用紙があることが検出されてから印刷用紙がなくなるまでの副走査方向についての印刷用紙の移動距離を検出することにより、印刷用紙の長さを測定する（第２の検出手段）。
【００５０】
プリンタドライバは、ユーザー定義用紙指定画面３０１で「読込み」ボタン３０６が選択されると、単機能プリンタ９０５に用紙サイズの測定を指示する。単機能プリンタ９０５は、給紙口にセットされた印刷用紙を給排紙する際に、先に説明した測定方法を用いて、印刷用紙の幅及び長さを測定し、結果をプリンタドライバに送信する（送信手段）。プリンタドライバは、受取った測定結果をユーザー定義用紙指定画面３０１で選択されている単位３０２に変換し、ユーザー定義用紙指定画面３０１における幅入力領域３０３及び長入力領域３０４に表示し、「登録…」ボタン３０７の選択によるサイズ決定後、そのサイズを今後ユーザー定義用紙サイズ一覧（記憶手段）で選択できるようにするために、ユーザー定義用紙サイズ一覧に表示する用紙サイズ名を入力するためのウィンドウ４０１を表示し、ユーザーに用紙サイズの確認、及び用紙サイズ名の入力を求め、「ＯＫ」ボタン４０３の選択により、入力された用紙サイズ名と用紙サイズをユーザーのカスタマイズ情報等のファイル等に記憶すると共にプリンタドライバのユーザー定義用紙サイズ一覧に追加する（追加手段）。
【００５１】
上記実施の形態において、プリンタが両面印刷機能を有する場合には、通常表面を印刷するための動作の際に印刷せず、印刷用紙の幅及び長さの測定を行い、裏面を印刷するための動作の際に、指定された画像を印刷することも可能である。
【図面の簡単な説明】
【００５２】
【図１】本発明の第１の実施の形態に係る印刷システムの構成を概略的に説明する図である。
【図２】図１の印刷システム１００によって実行されるユーザー定義用紙サイズ指定処理のフローチャートである。
【図３】図２のステップＳ２０１で表示される印刷設定画面２０１を説明するのに用いられる図である。
【図４】図２のステップＳ２０２で表示されるユーザー定義用紙サイズ指定画面３０１を説明するのに用いられる図である。
【図５】図２のステップＳ２０５で表示される入力画面４０１を説明するのに用いられる図である。
【図６】本発明の第２の実施の形態に係る印刷システムの構成を概略的に説明する図である。
【図７】図６の印刷システムによって実行されるユーザー定義用紙サイズ登録処理のフローチャートである。
【図８】図７のステップＳ９０４で表示されるユーザー定義用紙サイズ指定画面を説明するのに用いられる図である。
【図９】本発明の第３の実施の形態に係る印刷システムの構成を概略的に説明する図である。
【符号の説明】
【００５３】
１０１  表示装置
１０２  制御ユニット
１０３  キーボード
１０４  ポインティングデバイス
１０５  多機能プリンタ
１０６  インターフェース
２０１  印刷設定画面
２０２  用紙サイズ一覧
２０３  ＯＫボタン
２０４  キャンセルボタン
【図１】
2005297360.tif 000003
【図２】
2005297360.tif 000004
【図３】
2005297360.tif 000005
【図４】
2005297360.tif 000006
【図５】
2005297360.tif 000007
【図６】
2005297360.tif 000008
【図７】
2005297360.tif 000009
【図８】
2005297360.tif 000010
【図９】
2005297360.tif 000011